(57)【要約】      （修正有）【課題】形状・大きさが異なるカメラを収容可能なカメラケースを提供する。【解決手段】カメラケース１は、例えば、中央部材、側面部材１３および側面部材１５を縫い合わせて構成されている。中央部材、側面部材１３および側面部材１５の各々が、内側部、緩衝材および外側部を順に重ね合わせて形成されている。内側部および外側部は、例えば、布である。内側部の内側にカメラを収容する変形可能な収容空間を形成されている。【選択図】図３
0003173979.tif 000002
【実用新案登録請求の範囲】
【請求項１】
カメラを内側に収容する内側部と、
前記内側部の外側に位置する外側部と、
前記内側部と前記外側部との間に位置する緩衝材と
を有し、
前記内側部の内側に前記カメラを収容する変形可能な収容空間を形成する
カメラケース
【請求項２】
中央付近に向かうに従って幅が狭くなる帯状部材を前記中央付近で曲げて前記収容空間を形成し、一端部と他端部と着脱可能に接合する第１の部材と、
前記カメラの収容時に当該カメラの一方の側面に対向する前記収容空間を形成するように前記第１の部材と接合した第２の部材と、
前記カメラの収容時に当該カメラの他方の側面に対向する前記収容空間を形成するように前記第１の部材と接合した第３の部材と
を有し、
前記第１、第２および第３の部材の各々が、前記内側部、前記外側部および前記緩衝材によって形成されている
請求項１に記載のカメラケース。
【請求項３】
前記収容空間のカメラ挿入口側に、当該収容空間に収容された前記カメラの前記収容空間の外側に向けた移動を止めるストラップが設けられている
請求項１または請求項２に記載のカメラケース。
【考案の詳細な説明】
【技術分野】
【０００１】
本考案は、カメラを収容するカメラケースに関するものである。
【背景技術】
【０００２】
従来、カメラケースは、各カメラのサイズに合わせて製造・販売されている。
すなわち、カメラケースのカメラ収容空間の形状・大きさは固定である。
【考案の概要】
【考案が解決しようとする課題】
【０００３】
しかしながら、カメラケースのカメラ収容空間の形状・大きさが固定だと、形状・大きさが異なるカメラを購入した場合には、使えなくなってしまうという問題がある。
【０００４】
本考案はかかる事情に鑑みてなされたものであり、その目的は、形状・大きさが異なるカメラを収容可能なカメラケースを提供することにある。
【課題を解決するための手段】
【０００５】
上述した従来技術の問題点を解決し、上述した目的を達成するために、本考案のカメラケースは、カメラを内側に収容する内側部と、前記内側部の外側に位置する外側部と、前記内側部と前記外側部との間に位置する緩衝材とを有し、前記内側部の内側に前記カメラを収容する変形可能な収容空間を形成する。
【０００６】
好適には、本考案のカメラケースは、中央付近に向かうに従って幅が狭くなる帯状部材を前記中央付近で曲げて前記収容空間を形成し、一端部と他端部と着脱可能に接合する第１の部材と、前記カメラの収容時に当該カメラの一方の側面に対向する前記収容空間を形成すうように前記第１の部材と接合した第２の部材と、前記カメラの収容時に当該カメラの他方の側面に対向する前記収容空間を形成すうように前記第１の部材と接合した第３の部材とを有し、前記第１、第２および第３の部材の各々が、前記内側部、前記外側部および前記緩衝材によって形成されている。
【０００７】
好適には、本考案のカメラケースは、前記収容空間のカメラ挿入口側に、当該収容空間に収容された前記カメラの前記収容空間の外側に向けた移動を止めるストライプが設けられている。
【考案の効果】
【０００８】
本考案によれば、形状・大きさが異なるカメラを収容可能なカメラケースを提供することができる。
【図面の簡単な説明】
【０００９】
【図１】図１は、本考案の実施形態に係るカメラケースを説明するための図である。
【図２】図２は、本考案の実施形態に係るカメラケースを説明するための図である。
【図３】図３は、本考案の実施形態に係るカメラケースを説明するための図である。
【図４】図４は、本考案の実施形態に係るカメラケースを説明するための図である。
【図５】図４は、本考案の実施形態に係るカメラケースを説明するための図である。
【考案を実施するための形態】
【００１０】
以下、本考案の実施形態に係るカメラケースについて説明する。
図１〜４は、本考案の実施形態に係るカメラケース１を説明するための図である。
カメラケース１は、例えば、中央部材１１、側面部材１３および側面部材１５を縫い合わせて構成されている。
中央部材１１は、中央付近１１１に向かうに従って幅が狭くなる帯状部材であり、中央付近１１１で曲げてカメラの収容空間１２０を形成している。
また、中央部材１１は、一端部１１３と他端部１１５と着脱可能に接合できるようになっている。具体的には、一端部１１３の外側面に設けられた面ファスナー３１３と、他端部１１５の内側面に設けられた面ファスナー３１５とを着脱可能に面接合させる。
【００１１】
側面部材１３は、カメラの収容時に当該カメラの一方の側面に対向する収容空間１２０を形成するように中央部材１１と接合している。
側面部材５３は、カメラの収容時に当該カメラの他方の側面に対向する収容空間１２０を形成すうように中央部材１１と接合している。
【００１２】
カメラケース１では、中央部材１１、側面部材１３および側面部材１５の各々が、内側部、緩衝材および外側部を順に重ね合わせて形成されている。
ここで、内側部および外側部は、例えば、布である。
内側部の内側にカメラを収容する変形可能な収容空間１２０が形成されている。
カメラケース１の断面構成は、図５に示すようになる。
【００１３】
カメラケース１では、上記収容空間１２０のカメラ挿入口側に、当該収容空間１２０に収容されたカメラの前記収容空間１２０の外側に向けた移動を止めるストライプ２２０が設けられている
【００１４】
また、カメラケース１をカメラ本体に取り付けるための取り付け部２２０が設けられている。
【００１５】
以上説明したようにカメラケース１では、中央部材１１、側面部材１３および側面部材１５の各々が、内側部、緩衝材および外側部を順に重ね合わせて形成され、カメラの収容空間１２０の大きさ及び形状が変形可能であるため、複数のサイズのカメラに用いることができる。
また、カメラケース１では、内側部、緩衝材および外側部を順に重ね合わせた構成にしたことで、優れた耐衝撃性を有する。
【００１６】
また、カメラケース１では、ストライプ２２０を設けたことで、収容空間１２０を外側に開いた状態で、収容空間１２０に収容されているカメラがカメラケース１から誤って落ちてしまうことを回避できる。
【００１７】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００１８】
例えば、上述した実施形態は、カメラケース１を中央部材１１、側面部材１３および側面部材１５を組み合わせて形成したが、本考案は、１つ以上の部材によって形成する場合を含むものである。
また、カメラケース１では、中央部材１１、側面部材１３および側面部材１５の内側部および外側部を構成する部材として布を例示したが、変形可能なものであれば布以外を用いてもよい。
【産業上の利用可能性】
【００１９】
本考案は、カメラを収容するカメラケースに適用可能である。
【符号の説明】
【００２０】
１…カメラケース
１１…中央部材
１３…側面部材
１５…側面部材
１１１…中央付近
１１３…一端部
１１５…他端部
【図１】
0003173979.tif 000003
【図２】
0003173979.tif 000004
【図３】
0003173979.tif 000005
【図４】
0003173979.tif 000006
【図５】
0003173979.tif 000007